(57)【要約】【課題】プレーヤの希望する景品を獲得できる景品獲得ゲーム装置を提供することを目的とする。【解決手段】シャベル１３ａ，１３ｂは、長方形の板状の底面部２４と、直角三角形の板状の２つの側面部２５，２５と、長方形の板状の取付部２６とから構成されている。底面部２４は、腕１２ａ、１２ｂの閉じる方向に向けて設けられている。シャベル１３ａ，１３ｂを、取付部２６とは反対側の方向である矢印Ｂの方向より見ると、底面部２４と側面部２５，２５とでコの字型になるように形成されていて、底面部２４の周縁のうち取付部２６が取り付けられている周縁と垂直である周縁つまり腕１２ａ，１２ｂの伸びている方向と平行な周縁に、底面部２４に対して垂直に側面部２５，２５が設けられている。シャベル１３ａ，１３ｂは、腕１２ａ，１２ｂの閉じる方向にコの字型の開口側が向くように取り付けられている。【選択図】図７
2015000154.tif 000002
【特許請求の範囲】
【請求項１】
ゲーム空間と、
前記ゲーム空間内に収容された１つ以上の保持対象物と
前記保持対象物を拾って保持し、前記ゲーム空間内を移動することができる保持部と、
前記保持部に設けられ、開閉することのできる少なくとも２つの腕と、
前記腕の先端にそれぞれ設けられている保持部材と、
前記保持対象物を収容する少なくとも１つの穴を有する的部と、
を備えた景品獲得ゲーム装置であって、
前記保持部材は、
腕の閉じる方向に向けて設けられた板状の底面部と、
前記底面部に対して同一平面上ではない向きに伸びる側面部と、
を備え、
前記腕を閉じて前記腕の前記保持部材の前記底面部と前記側面部とで囲まれた空間内に前記保持対象物を保持し、前記腕を開いて前記保持部材から前記保持対象物を前記的部に落下させ、前記保持対象物の収容された前記穴の位置に応じて、景品を獲得できる景品獲得ゲーム装置。
【請求項２】
前記保持部材は、前記保持対象物を保持する際に、２つ以上の前記保持対象物の間に、前記ゲーム空間の床面に対して垂直に入り込む、請求項１に記載の景品獲得ゲーム装置。
【請求項３】
前記保持対象物が球形である、請求項１または２に記載の景品獲得ゲーム装置。
【請求項４】
前記保持部材が、前記腕と一体に形成されている、請求項１〜３のいずれか１項に記載の景品獲得ゲーム装置。
【発明の詳細な説明】
【技術分野】
【０００１】
この発明は、景品獲得ゲームに係り、プレーヤが保持部を操作して、保持対象物を保持部で保持し、保持対象物を的部に落として的部に設けられた穴に入れることで、景品の獲得を狙う景品獲得ゲーム装置に関する。
【背景技術】
【０００２】
従来の景品獲得ゲーム装置が、特許文献１に記載されている。特許文献１に記載の景品獲得ゲーム装置は、筐体の天井とアクリル板等の透明な仕切りとで囲われたゲーム空間の天井に搬送装置を設けている。搬送装置は、ゲーム空間の天井に設けられた固定レールと、固定レールに対して移動可能な移動レールと、該移動レールに設けられ下方に伸びることのできる棒状の伸縮棒と、該伸縮棒の下端に設けられた保持部とを備えている。保持部は、本体部と、本体部から伸びる複数の腕とを備えている。搬送装置は、保持部を移動レールを介して固定レールに沿って移動させる移動機構と、保持部を移動レールに沿って移動させる移動機構と、伸縮棒を伸縮させて保持部を上下動させる移動機構と、保持部の本体部から伸びる複数の腕を開閉する開閉機構とを備えている。保持部の腕が開閉することにより、保持部の腕は物体の保持が可能である。ゲーム空間の底面には人形等の景品が雑然と積み上げられている。プレーヤが景品獲得ゲーム装置に設けられた操作ボタンを操作することにより、ゲーム空間内で保持部を移動させ、景品の真上に保持部を移動させると、自動的に伸縮棒が伸びて保持部が景品の近くまで降下し、腕が閉じて景品を保持し、伸縮棒が縮んで保持部が景品を持ち上げる。保持部は移動レールの動作により自動的にゲーム空間内の景品取出パイプの真上まで移動し、腕が自動的に開くことにより景品が落下することで、景品取り出しパイプに連通して景品獲得ゲーム装置の筐体外部に開口している景品取出口よりプレーヤが景品を取り出すことができる。
【先行技術文献】
【特許文献】
【０００３】
【特許文献１】特開２００１−１５７７７３号公報
【発明の概要】
【発明が解決しようとする課題】
【０００４】
しかしながら、特許文献１に記載された景品獲得ゲーム装置では、ゲーム空間の底面に積み上げられた景品のうち獲得可能であるのは、積み上げられた景品のうち上方に位置する景品に限られ、それ以外の下方に位置する景品を獲得することはできず、プレーヤの希望する景品を獲得できないという問題点があった。景品を直接獲得するのではなく、例えばピンポン玉等のボールを保持部を使用して獲得し、獲得に成功した場合にプレーヤの希望する景品と引き換えるというルールとすることもできるが、その場合は、従来の保持部の腕ではピンポン玉等のボールの保持には適さない。
【０００５】
この発明はこのような問題点を解決するためになされたもので、プレーヤの希望する景品を獲得できる景品獲得ゲーム装置を提供することを目的とする。
【課題を解決するための手段】
【０００６】
この発明に係る景品獲得ゲーム装置は、ゲーム空間と、ゲーム空間内に収容された１つ以上の保持対象物と、保持対象物を拾って保持し、ゲーム空間内を移動することができる保持部と、保持部に設けられ、開閉することのできる少なくとも２つの腕と、腕の先端にそれぞれ設けられている保持部材と、保持対象物を収容する少なくとも１つの穴を有する的部とを備えた景品獲得ゲーム装置であって、保持部材は、腕の閉じる方向に向けて設けられた板状の底面部と、底面部に対して同一平面上ではない向きに伸びる側面部とを備え、腕を閉じて腕の保持部材の底面部と側面部とで囲まれた空間内に保持対象物を保持し、腕を開いて保持部材から保持対象物を的部に落下させ、保持対象物の収容された穴の位置に応じて、景品を獲得できる。
保持部材は、保持対象物を保持する際に、２つ以上の保持対象物の間に、ゲーム空間の床面に対して垂直に入り込んでもよい。
保持対象物が球形であってもよい。
保持部材が、腕と一体に形成されていてもよい。
【発明の効果】
【０００７】
この発明によれば、ゲーム空間と、ゲーム空間内に収容された１つ以上の保持対象物と、保持対象物を拾って保持し、ゲーム空間内を移動することができる保持部と、保持部に設けられ、開閉することのできる少なくとも２つの腕と、腕の先端にそれぞれ設けられている保持部材と、保持対象物を収容する少なくとも１つの穴を有する的部とを備えた景品獲得ゲーム装置であって、保持部材は、腕の閉じる方向に向けて設けられた板状の底面部と、底面部に対して同一平面上ではない向きに伸びる側面部とを備え、腕を閉じて腕の保持部材の底面部と側面部とで囲まれた空間内に保持対象物を保持し、腕を開いて保持部材から保持対象物を的部に落下させ、保持対象物の収容された穴の位置に応じて、景品を獲得できることで、希望する景品を獲得することができる。
【図面の簡単な説明】
【０００８】
【図１】この発明の実施の形態に係る景品獲得ゲーム装置の概略図である。
【図２】この発明の実施の形態に係る景品獲得ゲーム装置の内部の概略図である。
【図３】この発明の実施の形態に係る景品獲得ゲーム装置の外部に設けられたサービスカウンタの概略図である。
【図４】この発明の実施の形態に係る景品獲得ゲーム装置に設けられた保持部の概略図である。
【図５】この発明の実施の形態に係る景品獲得ゲーム装置に設けられた保持部の概略図である。
【図６】この発明の実施の形態に係る景品獲得ゲーム装置に設けられた保持部の概略図である。
【図７】この発明の実施の形態に係る景品獲得ゲーム装置に設けられたシャベルの概略図である。
【図８】この発明の実施の形態に係る景品獲得ゲーム装置に設けられた的部の概略図である。
【図９】この発明の実施の形態に係る景品獲得ゲーム装置に設けられた玉受け器の概略図である。
【発明を実施するための形態】
【０００９】
以下、この発明の実施の形態を添付図面に基づいて説明する。
この発明の実施の形態に係る景品獲得ゲーム装置の概略図を図１に示す。
景品獲得ゲーム装置１は、景品獲得ゲーム装置１を動作させるための電気機器類を収容する電装室２と、電装室２の上側に設けられたゲーム空間５とを備えている。ゲーム空間５は、天井３と、天井３の下側で四方に向いて設けられた透明な仕切りであるアクリル板４と、各アクリル板４の下端に設けられている床面１４とで囲われた直方体型の空間である。ゲーム空間５は、各アクリル板４の設けられている面のうち向かい合う２面が他の向かい合う２面に対して水平方向に大きくなっている。この、他の向かい合う２面に対して水平方向に大きくなっている２面の、水平方向の向きをゲーム空間５の左右方向とし、他の向かい合う２面の、水平方向の向きをゲーム空間５の前後方向とする。
【００１０】
天井３には搬送装置６が設けられている。搬送装置６は、ゲーム空間５の左右方向に伸び、互いに平行な２本の固定レール７と、ゲーム空間５の前後に伸び、固定レール７に対して移動可能な移動レール８と、該移動レール８に設けられ下方に伸びることのできる伸縮棒９と、該伸縮棒９の下端に設けられた保持部１０とを備えている。保持部１０は、釣鐘型の本体部１１と、本体部１１の両側面から伸びる２本の屈曲した腕１２ａ，１２ｂとを備えている。固定レール７のそれぞれには、移動レール８を固定レール７に沿って移動させることで保持部１０を伸縮棒９と移動レール８とを介して左右に移動させる図示しない移動機構が設けられている。移動レール８には、伸縮棒９を移動レール８に沿って前後に移動させることで保持部１０を伸縮棒９を介して前後に移動させる図示しない移動機構が設けられている。伸縮棒９には、伸縮棒９を伸縮させて保持部１０を上下動させる図示しない移動機構が設けられている。保持部１０には、保持部１０の本体部１１から伸びる腕１２ａ，１２ｂを開閉する図示しない開閉機構が設けられている。各移動機構及び開閉機構は、電装室２の内部に設けられた制御装置３４（図２参照)と電気的に接続されている。腕１２ａ，１２ｂの先端部には、それぞれアルミニウム合金でできたシャベル１３ａ，１３ｂが設けられている。
【００１１】
ゲーム空間５の床面１４の上には、半球状の鉢１５が設けられている。鉢１５には、保持対象物として、例えばピンポン玉のボール１６が複数収容されている。鉢１５は、後述する景品獲得ゲーム装置１の動作において、伸縮棒９が一杯に伸びたときに保持部１０のシャベル１３ａ，１３ｂがボール１６を拾い上げることのできる高さに設けられている。床面１４の上には、鉢１５から離れた位置に的部１７が設けられている。電装室２の前面には、傾斜しながら電装室２より突き出しているテーブル１８が設けられている。テーブル１８の上面に、プレーヤが景品獲得ゲーム装置１を操作するための操作パネル１９が設けられている。操作パネル１９には、景品獲得ゲーム装置１のゲーム料金である硬貨を投入するための硬貨投入口２０と、搬送装置６の操作ボタン２１ａ，２１ｂとが設けられていて、図２に示すように、電装室２の内部に設けられた制御装置３４と電気的に接続されている。電装室２の内部に設けられた制御装置３４は、アンテナを備えた無線送信装置３５と電気的に接続されている。
【００１２】
図３に示すように、景品獲得ゲーム装置１の外部には、景品獲得ゲーム装置１が設置された店舗のサービスカウンタ３６が設けられている。サービスカウンタ３６には、アンテナを備えた無線受信装置３７が設けられており、サービスカウンタ３６にいる係員Ａに、景品獲得ゲーム装置１でのゲームの結果を通知する通知装置３８と電気的に接続されている。
【００１３】
図４に示すように、保持部１０の本体部１１の上部に略円筒形の接続部２２が設けられており、接続部２２は伸縮棒９（図１参照）に図示しないボルトで接続している。本体部１１の上部に、螺旋状の伸縮自在なコード２３が設けられている。コード２３は、搬送装置６（図１参照）と伸縮棒９との接続部に設けられた図示しない接続用箱部を経て、電装室２（図１参照）に設けられた制御装置３４（図２参照）及び図示しない電源に電気的に接続されている。コード２３は、腕１２ａ、１２ｂの開閉制御信号及び開閉のための電力を本体部１１に伝送する。図５は、腕１２ａ，１２ｂを最も開いた状態であり、図６は腕１２ａ，１２ｂを最も閉じた状態である。
【００１４】
図７（ａ）に示すように、シャベル１３ａ，１３ｂは、長方形の板状の底面部２４と、直角三角形の板状の２つの側面部２５，２５と、長方形の板状の取付部２６とから構成されている。底面部２４は、腕１２ａ、１２ｂの閉じる方向に向けて設けられている。取付部２６は、底面部２４の周縁のうちの１つから突き出すように、底面部２４と同一平面上に設けられている。取付部２６と腕１２ａ，１２ｂとは、ねじ２７によってねじ止めされている。取付部２６と、底面部２４とは、腕１２ａ、１２ｂの閉じる方向に向いている面４３に対して平行になるように設けられている。シャベル１３ａ，１３ｂを、取付部２６とは反対側の方向である矢印Ｂの方向より見ると、図７（ｂ）に示すように底面部２４と側面部２５，２５とでコの字型になるように形成されていて、底面部２４の周縁のうち取付部２６が取り付けられている周縁と垂直である周縁つまり腕１２ａ，１２ｂの伸びている方向と平行な周縁に、底面部２４に対して垂直に側面部２５，２５が設けられている。シャベル１３ａ，１３ｂは、腕１２ａ，１２ｂの閉じる方向にコの字型の開口側が向くように取り付けられている。底面部２４及び側面部２５，２５は、腕１２ａ，１２ｂを最も閉じた状態（図６参照）で、底面部２４及び側面部２５，２５により構成されるコの字型の部分にボール１６を収容可能な大きさに形成されている。具体的には、この実施の形態ではボール１６にピンポン玉を使用しているため、ボール１６の大きさは直径４０ｍｍである。そのため、図７（ｃ）に示すように底面部２４のコの字型の開口側に向いている面の寸法は、側面部２５，２５間の距離（底面部２４の幅）が４０ｍｍを超えるように、底面部２４の幅に対して垂直方向である底面部２４の長さが４０ｍｍを超えるように形成される。この実施の形態では、底面部２４の幅は４３ｍｍ、底面部２４の長さは４１ｍｍに形成されている。
【００１５】
図８に示すように、的部１７は、ゲーム空間５の床面１４（図１参照）上に設置された略円柱形の玉受け器２９と、玉受け器２９の側面部に張り巡らされるように設置された網部２８とで構成されている。網部２８は、金属やプラスチック等の素材で作られた略円筒形状の網であり、略円柱状の玉受け器２９の側面部の直径よりも僅かに大きい内径を持つ。網部２８の網の目は、ボール１６が通過することができないように、ボール１６の直径（この実施の形態では４０ｍｍ）よりも十分に小さく形成されている。網部２８の高さは、後述する景品獲得ゲーム装置１（図１参照）の動作において、伸縮棒９を縮めた状態で的部１７の真上に保持部１０が進入した際に保持部１０の腕１２ａ，１２ｂやシャベル１３ａ，１３ｂが接触することがなく、且つ保持部１０の腕１２ａ，１２ｂが開いてボール１６が落下して跳ねた際にボール１６が網部２８（図８参照）の内側から飛び出すことのない高さである。
【００１６】
図９に示すように、玉受け器２９は網部２８より高さの低い略円柱形をしている。玉受け器２９の天板３０は、鉄等の十分な硬さを持つ材料で形成されており、中央に当たり穴３１が１つ設けられ、その周囲に外れ穴３２が１４つ設けられている。当たり穴３１と外れ穴３２とは、いずれもボール１６（図１参照）が入ることのできる十分な直径を持つ半球状の穴である。図９に示すように、当たり穴３１の底部には、接触式スイッチ又は近接センサである検知スイッチ３３が設けられており、検知スイッチ３３は、電装室２（図２参照）の内部に設けられた制御装置３４（図２参照）と電気的に接続されている。
【００１７】
次にこの発明の実施の形態に係る景品獲得ゲーム装置の動作を説明する。
図１に示す景品獲得ゲーム装置１の保持部１０は、初期状態では的部１７の真上である初期位置にて静止している。このとき、伸縮棒９はいっぱいに縮んだ状態であり、この状態が伸縮棒９の初期状態である。またこのとき、保持部１０の腕１２ａ、１２ｂは、図５に示す腕１２ａ，１２ｂを最も開いた状態と、図６に示す腕１２ａ，１２ｂを最も閉じた状態との略中間程度に開いた状態の図４に示すような状態であり、この状態が腕１２ａ，１２ｂの初期状態である。図１に示すように、この初期状態では、ボール１６は全て鉢１５に収容されていて、玉受け器２９の当たり穴３１と外れ穴３２とには何も入っていない。
【００１８】
プレーヤが硬貨投入口２０に指定の金額の硬貨を投入すると、景品獲得ゲーム装置１の制御装置３４（図２参照）は硬貨の投入を検知し、ゲームを開始しプレーヤの操作を受け付ける状態へ遷移する。プレーヤが操作ボタン２１ａ，２１ｂを押すと、操作ボタン２１ａ，２１ｂが押されたことを、制御装置３４（図２参照）が検知する。制御装置３４は、搬送装置６の固定レール７と移動レール８とに設けられた図示しない移動機構を駆動させることにより、移動レール８に設けられた伸縮棒９がゲーム空間５の左右方向及び前後方向へ移動する。これにより、移動レール８に伸縮棒９を介して接続されている保持部１０がゲーム空間５の左右方向及び前後方向へ移動する。つまり、プレーヤの操作ボタン２１ａ，２１ｂの操作によって、保持部１０がゲーム空間５の左右方向及び前後方向へ移動する。プレーヤは、保持部１０が鉢１５の真上に移動することを目指して操作ボタン２１ａ，２１ｂを操作する。具体的には、プレーヤが操作ボタン２１ａを押している間、保持部１０はゲーム空間５内を景品獲得ゲーム装置１の正面から見て左方向へ移動し、プレーヤが操作ボタン２１ｂを押している間、保持部１０はゲーム空間５内を景品獲得ゲーム装置１の正面から見て後方向へ移動する。
【００１９】
操作ボタン２１ａ，２１ｂがそれぞれ１回ずつ操作されるか、ゲームの開始後からの時間が、あらかじめ制御装置３４（図２参照）に設定されている制限時間に到達するかのいずれかの条件を満たすと、保持部１０の位置決めが終了し、制御装置３４（図２参照）は、プレーヤの操作ボタン２１ａ，２１ｂに対する操作の検知を終了する。
【００２０】
制御装置３４（図２参照）は、本体部１１内の図示しない開閉装置を駆動させて、図５に示すように、腕１２ａ，１２ｂを最も開いた状態にする。制御装置３４（図２参照）は、図１に示されている伸縮棒９に設けられた図示しない移動機構を駆動させて伸縮棒９を下方へ伸ばす。これにより、保持部１０はゲーム空間５の下方へ降下する。シャベル１３ａ，１３ｂの底面部２４（図７（ａ）参照）と取付部２６とは、腕１２ａ、１２ｂの閉じる方向に向いている面４３に対して平行になるように設けられている。そのため、図５に示すように腕１２ａ，１２ｂを最も開いた状態では、シャベル１３ａ，１３ｂの底面部２４（図７（ａ）参照）がゲーム空間５の床面１４に対して垂直に向く。腕１２ａ，１２ｂを開いた状態で保持部１０を降下させると、シャベル１３ａ，１３ｂ（図７（ａ）参照）が床面１４（図１参照）に対して垂直になるため、鉢１５（図１参照）内にある複数のボール１６同士の間に入りやすくなる。伸縮棒９が一杯に伸びた後、制御装置３４（図２参照）は、本体部１１（図６参照）内の図示しない開閉装置を駆動させて、腕１２ａ，１２ｂを最も閉じた状態にする。腕１２ａ，１２ｂの先端に設けられたシャベル１３ａ，１３ｂは、複数のボール１６同士の間に床面１４（図１参照）に対して垂直に入り、さらに１つのボール１６の直径に合わせて底面部２４（図７（ａ）参照）の幅と長さとが決められて形成されているため、シャベル１３ａ，１３ｂが閉じる際に、ボール１６を１つだけ拾い、シャベル１３ａ，１３ｂの両方のコの字型の開口が閉じ合わさってできた空間に収容して持ち上げる（図６参照）。制御装置３４（図２参照）は、図１に示されている伸縮棒９に設けられた図示しない移動機構を駆動させて伸縮棒９を縮める。これにより、保持部１０は、シャベル１３ａ，１３ｂに１つのボール１６をおおよそ確実に保持しつつゲーム空間５の上方へ上昇する。なお、保持部１０が鉢１５の真上に位置していなかったり、シャベル１３ａ，１３ｂがボール１６を拾うことに失敗していたりという状況で保持部１０がボール１６を保持していない場合には、腕１２ａ，１２ｂは閉じているがボール１６を保持していない状態で上記動作を行う。
【００２１】
制御装置３４（図２参照）は、図１に示す搬送装置６の固定レール７と移動レール８とに設けられた図示しない移動機構を駆動させることにより、保持部１０を初期位置へ移動させる。保持部１０が初期位置に移動すると、制御装置３４（図２参照）は本体部１１（図５参照）内の図示しない開閉装置を駆動させて、腕１２ａ，１２ｂを最も開いた状態にする。図１に示すように保持部１０の初期位置の真下には的部１７が設けられているため、シャベル１３ａ，１３ｂにボール１６を保持している状態で腕１２ａ，１２ｂが開くと、ボール１６が的部１７の玉受け器２９の天板３０へ向かって落下する。ボール１６の落下に十分な時間が経過した後、制御装置３４（図２参照）は本体部１１（図４参照）内の図示しない開閉装置を駆動させて、腕１２ａ，１２ｂを初期状態に戻す。なお、保持部１０がボール１６を保持していない場合には、同様に上記動作を実施した後、１回のゲームが終了する。
【００２２】
図１に示すようにボール１６が天板３０へ向かって落下するとき、腕１２ａ，１２ｂが開いたときの動きやシャベル１３ａ，１３ｂでのボール１６の保持状態等のばらつきによって、ボール１６の天板３０における落下点がばらつく。このため、ボール１６は天板３０（図９参照）の当たり穴３１又は外れ穴３２のいずれかに直接入るか、天板３０の当たり穴３１又は外れ穴３２の無い位置に当たりはじかれる。ボール１６（図１参照）が天板３０（図９参照）の当たり穴３１又は外れ穴３２の無い位置に当たりはじかれた場合は、網部２８（図８参照）はボール１６（図１参照）が落下して跳ねた際にボール１６（図１参照）が網部２８（図８参照）の内周からゲーム空間５（図１参照）へ飛び出すことのない高さに設けられているため、ボール１６は網部２８（図９参照）に跳ね返り、再度天板３０に落下する。ボール１６（図１参照）は当たり穴３１（図９参照）又は外れ穴３２のいずれかに直接入るか、天板３０の当たり穴３１又は外れ穴３２の無い位置に当たりはじかれることを繰り返し、最終的には当たり穴３１又は外れ穴３２のいずれかに入る。ボール１６（図１参照）が外れ穴３２（図９参照）のいずれかに入った場合は、１回のゲームが終了する。
【００２３】
ボール１６（図１参照）が当たり穴３１（図９参照）に入った場合は、当たり穴３１に設けられた検知スイッチ３３がオンになり、信号を制御装置３４（図２参照）へ入力する。制御装置３４は無線送信装置３５を動作させ、無線送信装置３５は無線信号を送信する。サービスカウンタ３６（図３参照）の無線受信装置３７が該無線信号を受信し、通知装置３８を動作させることにより、景品獲得ゲーム装置１（図１参照）が設置されている店舗の係員Ａ（図３参照）にゲームの結果を通知し、１回のゲームが終了する。係員はボール１６（図１参照）と引き換えに、プレーヤに希望する景品を渡す。
【００２４】
このように、ゲーム空間５と、ゲーム空間５内に収容された１つ以上のボール１６と、ボール１６を拾って保持し、ゲーム空間５内を移動することができる保持部１０と、保持部１０に設けられ、開閉することのできる少なくとも２つの腕１２ａ，１２ｂと、腕１２ａ，１２ｂの先端にそれぞれ設けられているシャベル１３ａ，１３ｂと、ボール１６を収容する少なくとも１つの当たり穴３１を有する的部１７とを備えた景品獲得ゲーム装置１において、シャベル１３ａ，１３ｂは、腕１２ａ，１２ｂの閉じる方向に向けて設けられた板状の底面部２４と、底面部２４の周縁のうち、底面部２４に対して同一平面上ではない向きに伸びる側面部２５とを備え、腕１２ａ，１２ｂを閉じて腕１２ａ，１２ｂのシャベル１３ａ，１３ｂの底面部２４と側面部２５とで囲まれた空間内にボール１６を保持し、腕１２ａ，１２ｂを開いてシャベル１３ａ，１３ｂからボール１６を的部１７に落下させ、ボール１６の収容されたのが当たり穴３１であれば、景品を獲得できることで、希望する景品を獲得することができる。
【００２５】
この実施の形態では、シャベル１３ａ，１３ｂの材料にアルミニウム合金を用いているが、ボール１６を拾い、保持するために必要な強度が確保できれば他の種類の金属や樹脂等が材料であってもよい。また、この実施の形態ではシャベル１３ａ，１３ｂの大きさ及び形状は、底面部２４が長方形の板状であり、底面部２４のコの字型の開口側に向いている面の寸法のうち、側面部２５，２５間の距離（底面部２４の幅）が４３ｍｍ、底面部２４の幅に対して垂直方向である底面部２４の長さが４１ｍｍとなるように形成されていたが、ボール１６の大きさに応じて、ボール１６を拾い、保持できる適当な大きさ及び形状にしてもよい。
【００２６】
この実施の形態では、保持部１０の腕及びシャベルはそれぞれ２つであったが、それぞれ３つ以上であってもよい。その場合、腕及びシャベルの大きさ及び形状は、ボール１６を拾い、保持できる適当な大きさ及び形状にしてもよい。
【００２７】
この実施の形態では、側面部２５は底面部２４に対して垂直に設けられていたが、側面部２５の底面部２４に対する角度は垂直でなくてもよい。
【００２８】
この実施の形態では、腕１２ａ，１２ｂとシャベル１３ａ，１３ｂとは別々に形成されていたが、腕とシャベルが一体形成されていてもよい。
【００２９】
この実施の形態では、当たり穴３１を一つ設け、外れ穴３２を１４つ設けていたが、当たり穴３１は１つ以上の適当な数を設ければよく、外れ穴３２は設けないか、１つ以上の適当な数を設けるかのいずれかでもよい。
【００３０】
この実施の形態では、保持対象物は、ピンポン玉であるボール１６であったが、他の球状の物を用いてもよいし、他の球状以外の任意の形状の物を用いてもよい。
【符号の説明】
【００３１】
１  景品獲得ゲーム装置、５  ゲーム空間、１０  保持部、１２ａ、１２ｂ  腕、１３ａ、１３ｂ  シャベル（保持部材）、１４  床面、１６  ボール（保持対象物）、１７  的部、２４  底面部、２５  側面部、３１  当たり穴（穴）、３２  外れ穴（穴）。
【図１】
2015000154.tif 000003
【図２】
2015000154.tif 000004
【図３】
2015000154.tif 000005
【図４】
2015000154.tif 000006
【図５】
2015000154.tif 000007
【図６】
2015000154.tif 000008
【図７】
2015000154.tif 000009
【図８】
2015000154.tif 000010
【図９】
2015000154.tif 000011
【手続補正書】
【提出日】平成26年10月9日(2014.10.9)
【手続補正１】
【補正対象書類名】明細書
【補正対象項目名】０００６
【補正方法】変更
【補正の内容】
【０００６】
この発明に係る景品獲得ゲーム装置は、ゲーム空間と、ゲーム空間内に収容された２つ以上の球形の保持対象物と、保持対象物を拾って保持し、ゲーム空間内を移動することができる保持部と、保持部に設けられ、開閉することのできる少なくとも２つの腕と、腕の先端にそれぞれ設けられている保持部材と、保持対象物を収容する少なくとも１つの穴を有する的部とを備えた景品獲得ゲーム装置であって、保持部材は、腕の閉じる方向に向けて設けられた板状の底面部と、底面部に対して同一平面上ではない向きに伸びる側面部とを備え、保持部材は、保持対象物を保持する際に、２つ以上の保持対象物の間に、ゲーム空間の床面に対して垂直に入り込み、腕を閉じて腕の保持部材の底面部と側面部とで囲まれた空間内に保持対象物を保持し、腕を開いて保持部材から保持対象物を的部に落下させ、保持対象物の収容された穴の位置に応じて、景品を獲得できる。
保持部材が、腕と一体に形成されていてもよい。
【手続補正２】
【補正対象書類名】明細書
【補正対象項目名】０００７
【補正方法】変更
【補正の内容】
【０００７】
この発明によれば、ゲーム空間と、ゲーム空間内に収容された２つ以上の球形の保持対象物と、保持対象物を拾って保持し、ゲーム空間内を移動することができる保持部と、保持部に設けられ、開閉することのできる少なくとも２つの腕と、腕の先端にそれぞれ設けられている保持部材と、保持対象物を収容する少なくとも１つの穴を有する的部とを備えた景品獲得ゲーム装置であって、保持部材は、腕の閉じる方向に向けて設けられた板状の底面部と、底面部に対して同一平面上ではない向きに伸びる側面部とを備え、保持部材は、保持対象物を保持する際に、２つ以上の保持対象物の間に、ゲーム空間の床面に対して垂直に入り込み、腕を閉じて腕の保持部材の底面部と側面部とで囲まれた空間内に保持対象物を保持し、腕を開いて保持部材から保持対象物を的部に落下させ、保持対象物の収容された穴の位置に応じて、景品を獲得できることで、希望する景品を獲得することができる。
【手続補正３】
【補正対象書類名】特許請求の範囲
【補正対象項目名】全文
【補正方法】変更
【補正の内容】
【特許請求の範囲】
【請求項１】
ゲーム空間と、
前記ゲーム空間内に収容された２つ以上の球形の保持対象物と
前記保持対象物を拾って保持し、前記ゲーム空間内を移動することができる保持部と、
前記保持部に設けられ、開閉することのできる少なくとも２つの腕と、
前記腕の先端にそれぞれ設けられている保持部材と、
前記保持対象物を収容する少なくとも１つの穴を有する的部と、
を備えた景品獲得ゲーム装置であって、
前記保持部材は、
腕の閉じる方向に向けて設けられた板状の底面部と、
前記底面部に対して同一平面上ではない向きに伸びる側面部と、
を備え、
前記保持部材は、前記保持対象物を保持する際に、２つ以上の前記保持対象物の間に、前記ゲーム空間の床面に対して垂直に入り込み、前記腕を閉じて前記腕の前記保持部材の前記底面部と前記側面部とで囲まれた空間内に前記保持対象物を保持し、前記腕を開いて前記保持部材から前記保持対象物を前記的部に落下させ、前記保持対象物の収容された前記穴の位置に応じて、景品を獲得できる景品獲得ゲーム装置。
【請求項２】
前記保持部材が、前記腕と一体に形成されている、請求項１に記載の景品獲得ゲーム装置。